(57)【要約】【課題】  水槽の水を、濁度が低く、殺菌効果も高い水質に維持できるようにする。【解決手段】  水槽１の水２を濾過装置３に流入させる流入路４と、濾過装置を通過した水を水槽に戻す戻し路５と、戻し路５の循環水に次亜塩素酸塩を供給可能な次亜塩素酸塩供給部Ｂとを設けてある水循環設備であって、流入路の循環水に鉄シリカ系無機高分子凝集剤を供給可能な凝集剤供給部Ａを設けてある。【選択図】        図１
2005052775.tif 000002
【特許請求の範囲】
【請求項１】
水槽の水を濾過装置に流入させる流入路と、前記濾過装置を通過した水を前記水槽に戻す戻し路と、前記戻し路の循環水に次亜塩素酸塩を供給可能な次亜塩素酸塩供給部とを設けてある水循環設備であって、
前記流入路の循環水に鉄シリカ系無機高分子凝集剤を供給可能な凝集剤供給部を設けてある水循環設備。
【請求項２】
前記水槽が浴槽又は遊泳プールである請求項１記載の水循環設備。
【請求項３】
前記次亜塩素酸塩供給部に次亜塩素酸塩供給装置を設け、前記凝集剤供給部には鉄シリカ系無機高分子凝集剤供給装置を設けてある請求項１又は２記載の水循環設備。
【発明の詳細な説明】
【技術分野】
【０００１】
本発明は、水槽の水を濾過装置に流入させる流入路と、前記濾過装置を通過した水を前記水槽に戻す戻し路と、前記戻し路の循環水に次亜塩素酸塩を供給可能な次亜塩素酸塩供給部とを設けてある水循環設備に関する。
【背景技術】
【０００２】
上記水循環設備は、例えば遊泳プールや浴槽などの水槽の水の水質を維持できるように、水槽と濾過装置とに亘る水循環路を設けて、濾過装置を通過した循環水に次亜塩素酸塩を供給して水槽に戻すように構成してある。
従来の水循環設備では、流入路の循環水を、凝集剤を供給せずに、濾過装置に流入させている（周知技術であり、先行技術文献情報を記載できない) 。
【発明の開示】
【発明が解決しようとする課題】
【０００３】
このため、循環水中の濁質分を濾過装置で効率良く捕捉できるように、流入路の循環水に凝集剤を供給することが考えられるが、凝集剤として、例えば浄水処理などに使用されているポリ塩化アルミニウム凝集剤（以下、ＰＡＣという) を供給する場合は、神経系疾患の原因と考えられているアルミニウムが残存し易いだけでなく、凝集効果を高めて濁度を低くするためには、循環水のｐＨ値を７．２〜７．４程度の高い値に調整する必要があるのに対して、次亜塩素酸塩による殺菌効果はｐＨ値が高くなるほど低下するので、次亜塩素酸塩による殺菌効果が低下して酸化還元電位が低くなる欠点がある。
本発明は上記実情に鑑みてなされたものであって、水槽の水を、濁度が低く、殺菌効果も高い水質に維持できるようにすることを目的とする。
【課題を解決するための手段】
【０００４】
本発明の第１特徴構成は、水槽の水を濾過装置に流入させる流入路と、前記濾過装置を通過した水を前記水槽に戻す戻し路と、前記戻し路の循環水に次亜塩素酸塩を供給可能な次亜塩素酸塩供給部とを設けてある水循環設備であって、前記流入路の循環水に鉄シリカ系無機高分子凝集剤を供給可能な凝集剤供給部を設けてある点にある。
【０００５】
〔作用及び効果〕
鉄シリカ系無機高分子凝集剤（以下、ＰＳＩという) による凝集効果を高めて濁度を低くするためには、循環水のｐＨ値を、ＰＡＣによる凝集効果を高める場合に比べて低くて、次亜塩素酸塩による殺菌効果が低下しにくい程度に調整すれば良いことに着目して、流入路の循環水にＰＳＩを供給可能な凝集剤供給部を設けてあるので、流入路の循環水にＰＳＩを供給することによって、凝集剤による凝集効果も次亜塩素酸塩による殺菌効果も高めることができるようになり、水槽の水を、濁度が低く、殺菌効果も高い水質に維持できる。
その上、前記循環水にＰＳＩを供給することにより、酸化還元電位がＰＳＩ投入前よりも上昇して、次亜塩素酸塩による殺菌効果以上の殺菌効果が向上する。
【０００６】
本発明の第２特徴構成は、前記水槽が浴槽又は遊泳プールである点にある。
【０００７】
〔作用及び効果〕
浴槽又は遊泳プールの水を、神経系疾患の原因と考えられているアルミニウムが残存しにくい状態で、濁度が低く、殺菌効果も高い水質に維持できる。
【０００８】
本発明の第３特徴構成は、前記次亜塩素酸塩供給部に次亜塩素酸塩供給装置を設け、前記凝集剤供給部には鉄シリカ系無機高分子凝集剤供給装置を設けてある点にある。
【０００９】
〔作用及び効果〕
次亜塩素酸塩供給部に次亜塩素酸塩供給装置を設け、凝集剤供給部には鉄シリカ系無機高分子凝集剤供給装置を設けてあるので、次亜塩素酸塩やＰＳＩを簡便に供給できる。
【発明を実施するための最良の形態】
【００１０】
以下に本発明の実施の形態を図面に基づいて説明する。
図１は、遊泳プール（水槽の一例) １のプール水２を濾過装置３に流入させる流入管路４と、濾過装置３を通過したプール水２を遊泳プール１に戻す戻し管路５とを設け、流入管路４に設けてあるポンプＰ１の駆動で、遊泳プール１と濾過装置３とに亘ってプール水２を循環させる水循環設備を示す。
【００１１】
そして、ＰＳＩの貯留タンク６ａとポンプＰ６とを備えたＰＳＩ注入（供給) 装置６を流入管路４に接続して、ポンプＰ６の駆動で流入管路４の循環水にＰＳＩを供給可能な凝集剤供給部Ａを設け、次亜塩素酸ナトリウムなどの次亜塩素酸塩の貯留タンク７ａとポンプＰ７とを備えた次亜塩素酸塩注入（供給) 装置７を戻し管路５に接続して、ポンプＰ７の駆動で戻し管路５の循環水に次亜塩素酸塩を供給可能な次亜塩素酸塩供給部Ｂを設けてある。
【００１２】
また、硫酸などの殺菌助剤（ｐＨ調整剤) の貯留タンク８ａとポンプＰ８とを備えた殺菌助剤注入装置８を次亜塩素酸塩供給部Ｂよりも下流側の戻し管路５に接続して、ポンプＰ８の駆動で戻し管路５に注入した殺菌助剤で循環水のｐＨ値を調整できるように構成し、濾過装置３と次亜塩素酸塩注入装置７との間の戻し管路５に、濾過装置３の出口側の循環水を採水可能なコック９を設けてある。
【００１３】
〔その他の実施形態〕
１．本発明による水循環設備は、人が容器から次亜塩素酸塩やその溶液を取り出して戻し路の循環水に投入可能或いは注入可能な次亜塩素酸塩供給部を設けてあっても良い。
２．本発明による水循環設備は、人が容器から鉄シリカ系無機高分子凝集剤やその溶液を取り出して流入路の循環水に投入可能或いは注入可能な凝集剤供給部を設けてあっても良い。
３．本発明による水循環設備は、流入路や戻し路を、暗渠や明渠で構成しても良い。
４．本発明による水循環設備は、浴槽と濾過装置とに亘って浴槽水を循環させる水循環設備であっても良い。
【実施例】
【００１４】
前記ＰＳＩ注入装置６に代えて、ＰＡＣを凝集剤として注入可能なＰＡＣ注入装置（図外) を設けてある水循環設備（比較例) と、ＰＳＩを凝集剤として注入可能なＰＳＩ注入装置６を設けてある本発明による水循環設備とについて、濾過装置３の出口側における水質を比較した。
【００１５】
尚、次亜塩素酸塩としては次亜塩素酸ナトリウムの１２％水溶液を使用し、殺菌助剤としては硫酸の１０％水溶液を使用し、濾過装置３は、デアイロンＮ−２（東西化学産業株式会社製）を濾過材として使用した。
【００１６】
流入管路４に凝集剤を注入しない状態での濾過装置３の出口側での水質を［表１］に示す。
【００１７】
【表１】
2005052775.tif 000003
【００１８】
流入管路４にＰＡＣ注入装置を設けてある水循環設備（比較例) について、循環水のｐＨ値を６．８〜７．８に段階的に調整して、ＰＡＣ（Ａｌ2 Ｏ3 １０％品) を循環水流量に対して０．５ｍｇ／リットルになるように連続添加した試験における濾過装置３の出口側における水質を［表２］に示す。
【００１９】
【表２】
2005052775.tif 000004
【００２０】
［表２］から分かるように、ｐＨ値が７．０以下の場合、ＰＡＣが凝集を開始するためのアルカリ分が少なくて凝集効果が低下し、処理水中にアルミニウムが残存する結果となった。
逆に、ｐＨ値が高くても凝集効果が低下して、アルミニウムが残存する結果となり、ＰＡＣを用いる場合、ｐＨ値を７．２〜７．４程度に調整する必要があることが分かる。
【００２１】
前記ＰＳＩ注入装置６を設けてある本発明による水循環設備について、循環水のｐＨ値を６．８〜７．８に段階的に調整して、ＰＳＩ（水道機工株式会社製ＰＳＩ−０５０（モル比Ｆｅ：Ｓｉ＝１：０．５，鉄含量２２ｇ／リットル))を循環水流量に対して１．６ｍｇ／リットルになるように連続添加した試験における濾過装置３の出口側における水質を［表３］に示す。
【００２２】
【表３】
2005052775.tif 000005
【００２３】
［表３］から分かるように、ｐＨ値が高い方が処理水濁度は高くなって、ｐＨ６．８〜７．０程度が最適であり、また、ｐＨ値が高い場合、処理水中の鉄の残存量が増加する傾向にある結果となった。
【００２４】
塩素系薬剤による殺菌処理を行う場合、ｐＨ値が低い方が効果があり、ＰＳＩ（ＰＳＩ−０５０) を用いた場合、凝集効果だけでなく、酸化還元電位からも分かるように、殺菌効果も向上すると考えられる。
【００２５】
以上の試験結果により、凝集剤にＰＡＣを用いるよりも、ＰＳＩ（ＰＳＩ−０５０) を用いた方が濾過装置３の出口側における濁度が低下することが分かる。
【００２６】
また、同じｐＨ値で比較した場合、ＰＳＩ（ＰＳＩ−０５０) を用いた方が全てのｐＨ値において結合残留塩素濃度がＰＡＣを用いるよりも低減しており、次亜塩素酸により有機物が酸化分解された結果と考えられる。
【００２７】
酸化還元電位を比較した場合も、全てのｐＨ値においてＰＳＩ（ＰＳＩ−０５０) を用いた方がＰＡＣを用いるよりも高く維持できており、処理水濁度の低下は、濁質分の凝集効果が向上しただけでなく、次亜塩素酸による有機物の酸化分解反応が促進された結果と考えられる。
【００２８】
従って、凝集剤にＰＳＩ（ＰＳＩ−０５０) を採用することは、神経系疾患の原因と考えられているアルミニウムを低減させるだけでなく、濁質分の除去効果、及び、プール水中の溶存物質の酸化分解を向上することができ、より衛生的で安全な遊泳プール水処理が実現できる。
【図面の簡単な説明】
【００２９】
【図１】水循環設備の概略図
【符号の説明】
【００３０】
１  水槽
２  水
３  濾過装置
４  流入路
５  戻し路
６  鉄シリカ系無機高分子凝集剤供給装置
７  次亜塩素酸塩供給装置
Ａ  凝集剤供給部
Ｂ  次亜塩素酸塩供給部
【図１】
2005052775.tif 000006